(57)【要約】【課題】種々の寸法的な要望に対応して、セットされる携帯機器の電源端子に端子部を確実に接触させて携帯機器の電池を充電する。【解決手段】充電台は、携帯機器３０の装着部２を有するケース１と、端子部３ａを有するスプリング線３と、スプリング線３が連結されて、ケース１内で傾動する傾動アーム６と、一端に傾動アーム６との連結端４Ｃを、反対側に突出部４Ａを有し、突出部４Ａと連結端４Ｃとの中間に傾動軸４Ｂを有する傾動体４とを備えている。充電台は、傾動体４の連結端４Ｃに傾動アーム６を連結して、傾動体４に連動する傾動アーム６が傾動して、端子部３ａをケース１から突出させ、あるいはケース１内に収納するようにしている。さらに、充電台は、傾動体４と傾動アーム６とを直交する姿勢で配置して、傾動体４が傾動する傾動面４Ｐと傾動アーム６が傾動する傾動面６Ｑとを互いに直交する姿勢としている。【選択図】図１３
2010045883.tif 000002
【特許請求の範囲】
【請求項１】
電池を内蔵する携帯機器(30)を脱着できるように装着する装着部(2)を有するケース(1)と、
このケース(1)内に設けられて、装着部(2)にセットされる携帯機器(30)の電源端子(31)に接触される端子部(3a)を有するスプリング線(3)と、
このスプリング線(3)を連結しており、かつケース(1)内に傾動できるように配設している傾動アーム(6)と、
この傾動アーム(6)に一端の連結端(4C)を連結し、この連結端(4C)の反対側に、装着部(2)に突出する突出部(4A)を有し、この突出部(4A)と連結端(4C)との中間に傾動軸(4B)を有し、この傾動軸(4B)を介してケース(1)に傾動自在に連結してなる傾動体(4)とを備えており、
前記傾動体(4)の連結端(4C)に前記傾動アーム(6)を連結して、傾動体(4)に連動する傾動アーム(6)が傾動して端子部(3a)をケース(1)から突出させ、あるいはケース(1)内に収納するようにしており、
さらに、前記傾動体(4)と前記傾動アーム(6)とを直交する姿勢で配置して、傾動体(4)が傾動する傾動面(4P)と傾動アーム(6)が傾動する傾動面(6Q)とを互いに直交する姿勢としてなる充電台。
【請求項２】
前記傾動体(4)の連結端(4C)の両側に一対の傾動アーム(6)を連結して、傾動体(4)と一対の傾動アーム(6)とをＴ字状に配置しており、一対の傾動アーム(6)が傾動して、一対の端子部(3a)を互いに接近、又離れる方向に移動させる請求項１に記載される充電台。
【請求項３】
前記傾動体(4)と前記傾動アーム(6)とをＬ字状に配置しており、この傾動アーム(6)に一対のスプリング線(3)を連結してなる請求項１に記載される充電台。
【請求項４】
前記傾動アーム(6)に傾動スプリング(7)を連結しており、この傾動スプリング(7)が傾動アーム(6)に連結している端子部(3a)をケース(1)内に移動させる方向に付勢してなる請求項１に記載される充電台。
【請求項５】
前記傾動アーム(6)と傾動体(4)とがユニット台(5)を介してケース(1)に連結されている請求項１に記載される充電台。
【請求項６】
前記傾動体(4)がユニット台(5)に傾動自在に連結する傾動軸(4B)を有し、この傾動軸(4B)を介して傾動体(4)をユニット台(5)に傾動自在に連結してなる請求項５に記載される充電台。
【請求項７】
前記傾動アーム(6)がユニット台(5)に傾動自在に連結される連結軸(6B)を有し、この連結軸(6B)を介して傾動アーム(6)をユニット台(5)に傾動自在に連結してなる請求項５又は６に記載される充電台。
【発明の詳細な説明】
【技術分野】
【０００１】
本発明は、主として携帯電話などの携帯機器をセットして充電する充電台に関する。
【背景技術】
【０００２】
充電台は、装着される携帯機器の電源端子に接触される正負の出力端子部を備えている。正負の出力端子部に金属が接触してショートすると、大きなショート電流が流れる。また、正負の出力端子部の電圧が高い場合には、濡れた手で接触すると感電する可能性もある。また、電圧が低い場合でも、長時間接触すると低温やけどを被るおそれがある。この弊害を解消するために、携帯機器を装着しない状態では、出力端子部をケース内に収納する充電台が開発されている（特許文献１参照）。
【特許文献１】特開２００６−５０７５８号公報
【発明の開示】
【発明が解決しようとする課題】
【０００３】
この公報に記載される充電台を図１ないし図５に示す。この充電台は、電池を内蔵する携帯機器９９を脱着できるように装着する装着部９２を有するケース９１と、このケース９１内に設けられて、装着部９２にセットされる携帯機器９９の電源端子９９Ａに接触される出力端子部９３Ａを有するスプリング線９３と、このスプリング線９３に連結されて、ケース９１内に傾動できるように配設している傾動体９４と、この傾動体９４に中間部を連結して、両端部には装着部９２に装着される携帯機器９９に押される突出部９７を設けている略コ字状のシーソー片９８を備えている。充電台は、装着部９２に携帯機器９９が装着されない状態では、シーソー片９８が両端の突出部９７を装着部９２の底面に設けられた貫通孔９６から装着部９２に突出させて、傾動体９４が出力端子部９３Ａをケース９１内の引き込み位置としている。この充電台は、装着部９２に携帯機器９９が装着されて、シーソー片９８の両端部の突出部９７が押されると、シーソー片９８が中間で傾動体９４を押して、出力端子部９３Ａが携帯機器９９の電源端子９９Ａに接触するように出力端子部９３Ａをケース９１に設けられた端子窓９５から装着部９２に突出させる。以上の充電台は、一対の突出部９７を押したときに限って出力端子部９３Ａを装着部９２に突出できる。
【０００４】
この充電台は、シーソー片９８を介して、傾動体９４を傾動させるものであるが、シーソー片９８の傾動面と傾動体９４の傾動面とを同一平面とするので、シーソー片９８と傾動体９４とを直線上に配置する必要があって、充電台の寸法によっては、シーソー片と傾動体とを設置する場所が確保できない問題点があった。
【０００５】
本発明は、このような欠点を解決することを目的に開発されたものである。本発明の重要な目的は、種々の寸法的な要望に対応して、セットされる携帯機器の電源端子に端子部を確実に接触させて携帯機器の電池を充電できる充電台を提供することにある。
【課題を解決するための手段及び発明の効果】
【０００６】
本発明の充電台は、前述の目的を達成するために以下の構成を備える。
充電台は、電池を内蔵する携帯機器３０を脱着できるように装着する装着部２を有するケース１と、このケース１内に設けられて、装着部２にセットされる携帯機器３０の電源端子３１に接触される端子部３ａを有するスプリング線３と、このスプリング線３を連結しており、かつケース１内に傾動できるように配設している傾動アーム６と、この傾動アーム６に一端の連結端４Ｃを連結し、この連結端４Ｃの反対側に、装着部２に突出する突出部４Ａを有し、この突出部４Ａと連結端４Ｃとの中間に傾動軸４Ｂを有し、この傾動軸４Ｂを介してケース１に傾動自在に連結してなる傾動体４とを備えている。充電台は、傾動体４の連結端４Ｃに傾動アーム６を連結して、傾動体４に連動する傾動アーム６が傾動して、端子部３ａをケース１から突出させ、あるいはケース１内に収納するようにしている。さらに、充電台は、傾動体４と傾動アーム６とを直交する姿勢で配置して、傾動体４が傾動する傾動面４Ｐと傾動アーム６が傾動する傾動面６Ｑとを互いに直交する姿勢としている。
本明細書において、傾動体４が傾動する傾動面４Ｐとは、傾動する傾動体４の中心線の移動軌跡を含む面であって、傾動体４が傾動する回転中心軸４Ｘに対して垂直な面を意味し、傾動アーム６が傾動する傾動面６Ｑとは、傾動する傾動アーム６の中心線の移動軌跡を含む面であって、傾動アーム６が傾動する回転中心軸６Ｙに対して垂直な面を意味している。
【０００７】
以上の充電台は、連動して傾動する傾動体と傾動アームとを直交する姿勢で配置して、傾動体が傾動する傾動面と傾動アームが傾動する傾動面とを互いに直交する姿勢としているので、従来の充電台のように、傾動体と傾動アームとを延在方向を同一にして配置するときに比べて、傾動体または傾動アームの延在方向の長さを短くできる。したがって、この充電台は、傾動体と傾動アームの配置に受ける制約を低減して、種々の寸法的な要望に対応した傾動体と傾動アームの配置を実現できる。
【０００８】
本発明の充電台は、傾動体４の連結端４Ｃの両側に一対の傾動アーム６を連結して、傾動体４と一対の傾動アーム６とをＴ字状に配置することができる。この充電台は、一対の傾動アーム６を傾動させて、一対の端子部３ａを互いに接近、又離れる方向に移動させることができる。
以上の充電台は、簡単な構造としながら、端子部を電源端子に接触させる毎に、セルフクリーニング作用でもって接触不良を防止して携帯機器の電池を確実に充電できる特徴がある。それは、この充電台が、傾動体の連結端の両側に一対の傾動アームを連結して、傾動体と一対の傾動アームとをＴ字状に配置しており、傾動アームの傾動によって、一対の端子部を互いに接近、又離れる方向に移動させる相対運動させて、電源端子に接触させるからである。この構造で装着部に突出される端子部は、図１４の矢印Ａで示すように、互いに間隔が変化するように移動する。互いに相対間隔を変化させながら電源端子に押しつけられる端子部は、引き裂き力が作用して端子部と電源端子の接触部分をセルフクリーニングする。すなわち、電源端子の表面を擦るように移動してセルフクリーニングする。したがって、端子部が電源端子に押しつけられる毎に、両者の接触部分が綺麗にセルフクリーニングされて、接触不良が解消される。また、傾動体の端部の両側に一対の傾動アームを連結して、傾動する傾動体で一対の傾動アームを傾動させるので、一対の傾動アームを確実に連動して傾動させて、一対の端子部を携帯機器の電源端子に確実に押圧できる。このため、本発明の充電台は、長期間にわたって端子部を電源端子に安定して接触させて、携帯機器に内蔵する電池を確実に充電できる。
【０００９】
本発明の充電台は、傾動体４と傾動アーム６とをＬ字状に配置して、この傾動アーム６に一対のスプリング線３を連結することができる。
以上の充電台は、傾動体と傾動アームとをＬ字状に配置するので、傾動体と傾動アームの配置に受ける制約をさらに低減して、例えば、ケースのコーナー部等に配置する寸法的な制約を受ける場合においても理想的に配置できる。
【００１０】
本発明の充電台は、傾動アーム６に傾動スプリング７を連結して、この傾動スプリング７でもって、傾動アーム６に連結している端子部３ａをケース１内に移動させる方向に付勢することができる。
この充電台は、傾動スプリングを傾動アームに連結するので、傾動スプリングでもって端子部をより安定して電源端子に接触して確実に充電できる。
【００１１】
本発明の充電台は、傾動アーム６と傾動体４とを、ユニット台５を介してケース１に連結することができる。
この充電台は、傾動アームと傾動体を、簡単かつ容易にケースに連結して、能率よく組み立てできる。
【００１２】
本発明の充電台は、傾動体４がユニット台５に傾動自在に連結する傾動軸４Ｂを有して、この傾動軸４Ｂを介して傾動体４をユニット台５に傾動自在に連結することができる。
【００１３】
本発明の充電台は、傾動アーム６がユニット台５に傾動自在に連結される連結軸６Ｂを有して、この連結軸６Ｂを介して傾動アーム６をユニット台５に傾動自在に連結することができる。
【発明を実施するための最良の形態】
【００１４】
以下、本発明の実施例を図面に基づいて説明する。ただし、以下に示す実施例は、本発明の技術思想を具体化するための充電台を例示するものであって、本発明は充電台を以下のものに特定しない。
【００１５】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１６】
図６ないし図１５に示す充電台は、充電できる電池を内蔵する携帯機器３０を脱着できるように装着して、携帯機器３０に内蔵している電池を充電する。携帯機器３０は、主として携帯電話、ゲーム器、ゲーム器のリモコンなどであるが、本発明は、内蔵する電池を充電する携帯機器を特定するものでなく、たとえば、ＭＤやＣＤの再生または録音再生機、デジタル携帯機器等の二次電池を内蔵している全ての携帯機器とすることができる。
【００１７】
充電台は、携帯機器３０を嵌合状態で脱着できるように定位置にセットできる装着部２を上面に設けているケース１と、このケース１内に設けられて、装着部２にセットされる携帯機器３０の電源端子３１に接触される端子部３ａを有する一対のスプリング線３と、装着部２に携帯機器３０がセットされる状態でスプリング線３の端子部３ａを装着部２に突出させて、電源端子３１に接触させる傾動体４と、この傾動体４とスプリング線３を連結しているユニット台５とを備える。スプリング線３と傾動体４がユニット台５に連結されて接点ユニット１０を構成している。この接点ユニット１０がケース１に固定されて、スプリング線３の端子部３ａと傾動体４の突出部４Ａはケース１の定位置に配置される。
【００１８】
さらに、充電台は、ケース１に充電回路（図示せず）を内蔵している。ただし、本発明の充電台は、ケースに必ずしも充電回路を設ける必要ない。外部に設けている充電回路にリード線を介して接続することもできるからである。充電回路を内蔵しない充電台は、外部の充電回路に接続されて、携帯機器の電池を充電する。
【００１９】
図６、図１４、及び図１５に示す充電台は、ケース１の上面に装着部２を設けている。装着部２は、ケース１の上面に設けた上方を開口している凹部である。携帯機器３０は、凹部の装着部２に嵌着、装着されて定位置にセットされる。図の装着部２は、携帯機器３０を横長の姿勢でセットする形状としている。
【００２０】
携帯機器３０は、自重で凹部の装着部２に装着される。ケース１は、図示しないが、装着部にセットした携帯機器を抜けないように引っかけて係止する係止フックを設けて、装着部にセットして携帯機器を外れないように仮固定できる。
【００２１】
ケース１は、下方を開口している上ケース１Ａと、この上ケース１Ａの下方開口部を閉塞している下ケース１Ｂとからなる。上ケース１Ａと下ケース１Ｂは、プラスチックを成形して製作される。上ケース１Ａの上面に凹部を設けて装着部２としている。上ケース１Ａは、装着部２となる凹部の底面２Ａに、ケース１に内蔵しているスプリング線３の端子部３ａを外部に突出させる端子窓８と、傾動体４の突出部４Ａを装着部２に突出させる貫通孔９を開口している。図の上ケース１Ａは、端子窓８と貫通孔９を各々２個設けている。ふたつの端子窓８は、正負の端子部３ａを装着部２に突出させる。また、ふたつの貫通孔９は、傾動体４の一端に設けている２個の突出部４Ａを装着部２に突出させる。図６と図７の充電台は、ケース１に設けている装着部２の底面２Ａに端子窓８と貫通孔９を設けて、スプリング線３の端子部３ａと、傾動体４の突出部４Ａを底面２Ａから突出させている。
【００２２】
接点ユニット１０は、ユニット台５と、これに傾動できるように連結している傾動体４と、この傾動体４で端子部３ａをケース１の装着部２に突出させるスプリング線３とで構成される。図の充電台は、スプリング線３を一対の傾動アーム６に連結し、この傾動アーム６を傾動体４に連結している。この充電台は、スプリング線３を直接には傾動体４に連結しないで、傾動アーム６を介して傾動体４に連結している。したがって、この接点ユニット１０は、傾動体４とスプリング線３に加えて、スプリング線３を連結して、傾動体４で傾動される傾動アーム６を備える。さらに、図８ないし図１２の接点ユニット１０は、傾動アーム６を弾性的に傾動させる傾動スプリング７を備える。傾動スプリング７は、スプリング線３の端子部３ａをケース１内に収納する方向、すなわち収納位置に向かって付勢する。図の接点ユニット１０は、傾動スプリング７で傾動アーム６を付勢して、収納位置に付勢するが、接点ユニットは、図示しないが、傾動スプリングを傾動体に連結して収納位置とすることもできる。
【００２３】
傾動体４は絶縁材のプラスチック製で、その中間の両側に、一対の傾動軸４Ｂを突出するように一体的に成形して設けている。一対の傾動軸４Ｂは、これを回転中心軸４Ｘとして傾動できるように、互いに直線上に配置されている。傾動軸４Ｂがユニット台５に回転できるように連結されて、傾動体４は傾動できるようにユニット台５に連結される。傾動体４は、その一端部には、上面に突出するように、ケース１の装着部２に突出するふたつの突出部４Ａを一体的に成形して設けている。傾動体４は、この突出部４Ａが携帯機器３０に押されて傾動する。傾動する傾動体４は、突出部４Ａを設けている端部と反対側の連結端４Ｃに傾動アーム６を連結している。
【００２４】
傾動アーム６は絶縁材のプラスチック製で、図の接点ユニット１０は、傾動体４の連結端４Ｃに一対の傾動アーム６を連結して、傾動体４と傾動アーム６とをＴ字状に配置している。すなわち、傾動体４の連結端４Ｃに、両側に伸びるように一対の傾動アーム６を連結して、Ｔ字状に配列している。この接点ユニット１０は、傾動体４の連結端４Ｃに連結して、傾動体４に対して直交する姿勢で、その両側に伸びるように傾動アーム６を配置している。傾動体４の連結端４Ｃは傾動アーム６の下面にあって、傾動アーム６を下から押し上げて、傾動アーム６に連結しているスプリング線３の端子部３ａを装着部２に押し上げる。傾動アーム６は、Ｔ字状の両端側、すなわち連結端４Ｃから離れる端部に連結軸６Ｂを設けている。図の傾動アーム６は、上面プレート６Ａの両側に沿って側壁部６Ｄを設けて、この側壁部６Ｄから外側に突出するように連結軸６Ｂを設けている。両側に突出する連結軸６Ｂは、これを回転中心軸６Ｙとして傾動できるように、互いに直線状に配置されている。連結軸６Ｂがユニット台５に回転できるように連結されて、傾動アーム６は傾動できるようにユニット台５に連結される。
【００２５】
図１３の接点ユニット１０は、傾動体４と傾動アーム６とをＴ字状に配置するので、傾動体４が傾動する傾動面４Ｐと傾動アーム６が傾動する傾動面６Ｑとが互いに直交する姿勢となる。ここで、傾動体４が傾動する傾動面４Ｐとは、傾動する傾動体４の中心線の移動軌跡を含む面であって、傾動体４が傾動する回転中心軸４Ｘに対して垂直な面である。また、傾動アーム６が傾動する傾動面６Ｑとは、傾動する傾動アーム６の中心線の移動軌跡を含む面であって、傾動アーム６が傾動する回転中心軸６Ｙに対して垂直な面である。図の接点ユニット１０は、傾動体４が傾動する回転中心軸４Ｘである傾動軸４Ｂと、傾動アーム６が傾動する回転中心軸６Ｙである連結軸６Ｂとを、装着部２の底面２Ａと平行な面内にあって、かつ回転中心軸４Ｘと回転中心軸６Ｙとが互いに直交する姿勢でユニット台５に連結している。すなわち、傾動アーム６の連結軸６Ｂは、傾動体４の長手方向に平行な姿勢でユニット台５に連結される。傾動アーム６は、互いに接近する対向端部６Ｃを傾動体４に連結している。対向端部６Ｃは、傾動体４の連結端４Ｃの上面にあって、傾動体４の連結端４Ｃを弾性的に押し下げて、傾動体４の突出部４Ａを弾性的に装着部２に突出させている。
【００２６】
傾動アーム６は、スプリング線３の端子部３ａを上方に突出させるガイド穴６Ｅと、スプリング線３の引掛片３Ｃを係止する引掛部６Ｆと、後述する傾動スプリング７を連結する押圧係止部６Ｇとを設けている。引掛部６Ｆは、使用状態において上方に開口する溝型で、対向端部６Ｃと連結軸６Ｂとの間の側部に設けている。押圧係止部６Ｇは、対向端部６Ｃの反対側の端部であって、連結軸６Ｂよりも外側の端部に設けている。図１０と図１１の傾動アーム６は、外側の端部に端部壁を設けて、この端部壁の側縁の内側に突出する凸条を設けて、凸条の内側を傾動スプリング７を連結する押圧係止部６Ｇとしている。
【００２７】
この傾動アーム６は、端子部３ａを有するスプリング線３と、傾動アーム６の対向端部６Ｃを弾性的に押し下げる傾動スプリング７とを連結している。
【００２８】
傾動スプリング７は、傾動アーム６とユニット台５とに連結されて、傾動アーム６の対向端部６Ｃを弾性的に押し下げる。図１０ないし図１２に示す傾動スプリング７はコイルスプリングで、コイル部７Ｂに傾動アーム６の連結軸６Ｂを挿通して傾動アーム６に連結される。このコイルスプリングからなる傾動スプリング７は、両端の突出片７Ａを弾性的に拡開し、傾動アーム６の対向端部６Ｃを弾性的に押し下げる方向に付勢する。図１０と図１１の傾動スプリング７は、第１の突出片７Ａａをユニット台５に下方に突出するように設けている連結リブ１９に連結し、第２の突出片７Ａｂを押圧係止部６Ｇに連結している。押圧係止部６Ｇは、傾動アーム６の連結軸６Ｂよりも下側（図１２は下面から見た斜視図であるから、この図において上側）であって、連結軸６Ｂよりも外側に位置する。この傾動スプリング７は、押圧係止部６Ｇを弾性的に押圧して、傾動アーム６を図１４の矢印Ｂで示す方向に付勢して、傾動アーム６の対向端部６Ｃを押し下げる方向に付勢する。
【００２９】
スプリング線３は、導電性と弾性のある金属線で、端子部３ａを携帯機器３０の電源端子３１に弾性的に押圧して電気接続する。図１２、図１４及び図１５のスプリング線３はコイルスプリングで、コイル部３Ｂから接線方向に端子片３Ａと引掛片３Ｃとを突出させている。コイル部３Ｂは、傾動アーム６の側壁部６Ｄの内側であって、両側の連結軸６Ｂと中心軸を同軸に配設される。端子片３Ａは引掛片３Ｃよりも長く突出して、先端部を山形に折曲して端子部３ａとしている。端子片３Ａは、図１４と図１５に示すように、山形の端子部３ａをガイド穴６Ｅから上方に突出させて、端子部３ａとコイル部３Ｂの間の直線部３ｂを上面プレート６Ａの下面に配置している。端子部３ａは、ケース１の装着部２に突出している。装着部２に携帯機器３０がセットされると、携帯機器３０の電源端子３１は端子部３ａを押し下げる。端子部３ａが押し下げられると、直線部３ｂが上面プレート６Ａの下面から離れる。この状態で、スプリング線３は、コイル部３Ｂの弾性で、端子部３ａを電源端子３１に押圧する。コイル部３Ｂの弾性で端子部３ａを電源端子３１に押圧するために、スプリング線３の他方の端部の引掛片３Ｃは、傾動アーム６の引掛部６Ｆに引っ掛けられている。引掛部６Ｆは上方に開口する溝型で、上面にスプリング線３の引掛片３Ｃを係止して、端子部３ａを装着部２に弾性的に押し出す。図１２のスプリング線３は、引掛片３Ｃの端部を傾動アーム６から離れる方向に直角に折曲して折曲部をさらにＵ曲している。この構造は、Ｕ曲部を掴んで、引掛片３Ｃを簡単かつ容易に、傾動アーム６の引掛部６Ｆに案内できる。
【００３０】
ユニット台５は、図８ないし図１２に示すように、プラスチックもって、表面プレート１１の周囲に周壁１２を設けた形状に成形している。ユニット台５は、これをケース１の内面に固定して、接点ユニット１０をケース１に固定するための固定部１３を設けている。図のユニット台５は、周壁１２の外側に突出して、その対向する位置に固定部１３を設けている。
【００３１】
表面プレート１１は、傾動体４を内側に配置してその一部を上面に露出させる傾動体開口部１１Ａと、傾動アーム６を内側に配置して傾動アーム６を上面に露出させるアーム開口部１１Ｂとを設けている。傾動体開口部１１Ａは、傾動体４の傾動軸４Ｂよりも突出部４Ａ側を上面に露出させる。この傾動体開口部１１Ａは、その内側に傾動体４を配置して、傾動体４を傾動できるように、傾動体開口部１１Ａの内面と傾動体４の外側との間に隙間を設けている。さらに、図のユニット台５は、傾動体開口部１１Ａを大きくするために、表面プレート１１の周壁１２を外側に突出させる形状に成形して、周壁１２の内側に傾動体４を配置している。アーム開口部１１Ｂは、傾動アーム６を内側に配置できるように、内形を傾動アーム６の外形よりも大きくしている。すなわち、表面プレート１１は、アーム開口部１１Ｂと傾動アーム６との間に隙間を設けて、傾動アーム６を自由に傾動できるようにユニット台５に配置している。図の表面プレート１１は、傾動体開口部１１Ａとアーム開口部１１ＢとをＴ字状に配置している。
【００３２】
ユニット台５は、傾動体４の傾動軸４Ｂを連結する支持リブ１４を設けている。図１０ないし図１２のユニット台５は、表面プレート１１の内面から下方に突出して支持リブ１４を一体的に成形して設けている。この支持リブ１４は、傾動軸４Ｂを案内するＵ溝１５を設けている。図のユニット台５は、傾動体４の一方の傾動軸４Ｂを挿入して回転できるように連結する保持リブ１７を一体的に成形して設けている。保持リブ１７は上方に開口する溝型で、Ｕ溝１５に案内された傾動軸４Ｂを挿入して、回転できるように、また外れないように支持する。傾動体４の他方の傾動軸４Ｂは、Ｕ溝１５に案内されて回転できるように支持される。傾動軸４Ｂの軸方向の位置ずれを阻止するために、傾動軸４Ｂの一端と対向して対向リブ１８を、また保持リブ１７には閉塞プレート１７Ａを設けている。対向リブ１８は、保持リブ１７で支持される傾動軸４Ｂの反対側の端部に、その端部に対向して設けられる。閉塞プレート１７Ａは、保持リブ１７の傾動軸４Ｂを挿入する開口部と反対側に設けられて、傾動軸４Ｂの端部と対向して、傾動軸４Ｂの軸方向への位置ずれを阻止する。この傾動軸４Ｂは、閉塞プレート１７Ａと対向リブ１８の間に配設されて、軸方向にずれないように支持リブ１４に連結される。
【００３３】
さらに、支持リブ１４のＵ溝１５は、図１２の一部拡大図に示すように、その開口部に傾動軸４Ｂの抜け止め突出部１６を設けて係止状態で連結している。抜け止め突出部１６は、傾動軸４ＢをＵ溝１５に挿入するときに弾性変形して傾動軸４Ｂを通過させる。このユニット台５は、抜け止め突出部１６でもって、傾動軸４Ｂの一方の端部を外れないように表面プレート１１に連結できる。このため、接点ユニット１０を上ケース１Ａに連結するときに傾動体４が外れることがなく、能率よく接点ユニット１０を上ケース１Ａに連結できる。上ケース１Ａに下ケース１Ｂを連結する状態で、Ｕ溝１５の開口部は下ケース１Ｂで閉塞される。下ケース１Ｂで閉塞されるＵ溝１５は、ここに案内している傾動軸４Ｂを外れないように支持する。下ケース１Ｂは、内面に設けている支持リブ２５でＵ溝１５の開口部を閉塞し、あるいは、内面でＵ溝１５の開口部を閉塞する。この構造は、接点ユニット１０を上ケース１Ａに固定した後、下ケース１Ｂを上ケース１Ａに固定して、傾動体４を定位置に傾動できるように配置できる。
【００３４】
さらに、傾動アーム６は、一方の連結軸６Ｂを、表面プレート１１の内面に突出するように設けている連結リブ２０のＵ溝２１に案内し、他方の連結軸６Ｂを、周壁１２に設けた連結穴２３に回転できるように挿入して、ユニット台５に傾動できるように連結している。連結リブ２０のＵ溝２１は、傾動軸４Ｂを案内するＵ溝１５と同じように、その開口部に連結軸６Ｂの抜け止め突出部２２を設けて係止状態で連結している。この抜け止め突出部２２は、連結軸６ＢをＵ溝２１に挿入するときに弾性変形して連結軸６Ｂを通過させる。このＵ溝２１も、上ケース１Ａに下ケース１Ｂを連結する状態で、開口部は下ケース１Ｂの支持リブ２６で閉塞される。
【００３５】
以上のユニット台５は、傾動体４と傾動アーム６の両方を抜け止め突出部１６、２２でもって、外れないように連結できる。このため、接点ユニット１０を上ケース１Ａに連結するときに傾動体４と傾動アーム６の両方が外れることがなく、極めて能率よく接点ユニット１０を上ケース１Ａに連結できる。
【００３６】
さらに、図１０ないし図１２の表面プレート１１は、連結軸６Ｂの軸方向の位置ずれを阻止する対向リブ２４を一体的に成形して設けている。連結軸６Ｂは、対向リブ２４の内側でＵ溝２１に案内されて、回転できるように連結される。この構造のユニット台５は、連結軸６Ｂの軸方向の位置ずれを防止して、傾動アーム６を傾動できるように連結することができる。
【００３７】
以上の充電台は、以下の工程で組み立てられる。
（１）傾動アーム６にスプリング線３を連結する。スプリング線３は、山形に折曲している端子部３ａをガイド穴６Ｅに挿入し、引掛片３Ｃを引掛部６Ｆに連結して、傾動アーム６の定位置に連結される。この状態で、スプリング線３はコイル部３Ｂを側壁部６Ｄの内側に配置して、連結軸６Ｂと同軸に配置させる。
（２）傾動アーム６をユニット台５に連結する。このとき、一方の連結軸６Ｂを周壁１２の連結穴２３に挿通し、他方の連結軸６Ｂを連結リブ２０に設けているＵ溝２１に案内する。このとき、連結軸６Ｂを強く押して抜け止め突出部２２を通過させてＵ溝２１の定位置に挿入する。
（３）傾動スプリング７をセットする。傾動スプリング７は、第１の突出片７Ａａをユニット台５の連結リブ１９に連結し、第２の突出片７Ａｂを押圧係止部６Ｇに連結する。
（４）傾動体４をユニット台５に連結する。傾動体４は、一方の傾動軸４Ｂを保持リブ１７に挿入し、他方の傾動軸４Ｂを支持リブ１４のＵ溝１５に案内して、抜け止め突出部１６を通過させて定位置に挿入してユニット台５に連結される。この状態で接点ユニット１０が組み立てられる。
（５）接点ユニット１０を上ケース１Ａの内面に固定する。接点ユニット１０は、ユニット台５に設けている固定部１３に止ネジ２７を貫通させて、これを上ケース１Ａの内面に設けている連結ボス２８にねじ込んで固定される。
（６）上ケース１Ａに下ケース１Ｂを固定する。
【００３８】
以上の状態で、接点ユニット１０がケース１の定位置に固定される。ケース１に固定された接点ユニット１０は、傾動スプリング７でもって、傾動アーム６を、端子部３ａを装着部２の内側に収納する方向に付勢する。この方向に付勢される傾動アーム６は、傾動体４の連結端４Ｃを押し下げて、突出部４Ａをケース１の装着部２に突出させる。
【００３９】
以上の状態で、ケース１の装着部２に携帯機器３０がセットされると、携帯機器３０が突出部４Ａを押し下げて、端子部３ａを装着部２に突出させる。装着部２に突出する端子部３ａは、携帯機器３０の電源端子３１を押圧して電気接続される。電源端子３１に接触する端子部３ａは、スプリング線３を介して携帯機器３０に内蔵される電池に充電電流を供給して、電池を充電する。
【００４０】
さらに、図１６ないし図１９は、本発明の他の実施例の充電台を示している。これらの図に示す充電台は、傾動体４と１本の傾動アーム６とを直交する姿勢で、Ｌ字状に配置している。以下、この実施例の充電台について詳述する。なお、図１６ないし図１９に示す実施例において、前述の実施例と同じ構成要素については同符号を付してその説明を省略する。
【００４１】
図１７と図１８に示す接点ユニット１０は、傾動体４の連結端４Ｃにひとつ傾動アーム６を連結して、傾動体４と傾動アーム６とをＬ字状に配置している。すなわち、傾動体４の連結端４Ｃに、片側に伸びるように傾動アーム６を連結して、Ｌ字状に配列している。この接点ユニット１０は、傾動体４の連結端４Ｃに連結して、傾動体４に対して直交する姿勢で傾動アーム６を配置している。傾動体４は、その中間の両側に、一対の傾動軸４Ｂを突出するように一体的に成形しており、一対の傾動軸４Ｂを回転中心軸４Ｘとして傾動できるように、傾動軸４Ｂをユニット台５に連結している。傾動体４は、その一端部には、上面に突出するように、ケース１の装着部２に突出するひとつの突出部４Ａを一体的に成形して設けている。傾動体４は、突出部４Ａを設けている端部と反対側の連結端４Ｃに傾動アーム６を連結している。傾動体４の連結端４Ｃは傾動アーム６の対向端部６Ｃの下面にあって、傾動アーム６を下から押し上げて、傾動アーム６に連結しているスプリング線３の端子部３ａを装着部２に押し上げる。傾動アーム６は、連結端４Ｃから離れる端部に連結軸６Ｂを設けている。この傾動アーム６は、上面プレート６Ａの両側に沿って側壁部（図示せず）を設けて、この側壁部から外側に突出するように連結軸６Ｂを設けている。傾動アーム６は、両側に突出する一対の連結軸６Ｂを回転中心軸６Ｙとして傾動できるように、連結軸６Ｂをユニット台５に連結している。
【００４２】
図１７と図１８の接点ユニット１０は、傾動体４と傾動アーム６とをＬ字状に配置して、傾動体４が傾動する傾動面４Ｐと傾動アーム６が傾動する傾動面６Ｑとが互いに直交する姿勢としている。前述の実施例と同様に、傾動体４が傾動する傾動面４Ｐとは、傾動する傾動体４の中心線の移動軌跡を含む面であって、傾動体４が傾動する回転中心軸４Ｘに対して垂直な面であり、傾動アーム６が傾動する傾動面６Ｑとは、傾動する傾動アーム６の中心線の移動軌跡を含む面であって、傾動アーム６が傾動する回転中心軸６Ｙに対して垂直な面である。図の接点ユニット１０は、傾動体４が傾動する回転中心軸４Ｘである傾動軸４Ｂと、傾動アーム６が傾動する回転中心軸６Ｙである連結軸６Ｂとを、装着部２の底面２Ａと平行な面内にあって、かつ回転中心軸４Ｘと回転中心軸６Ｙとが互いに直交する姿勢でユニット台５に連結している。
【００４３】
傾動アーム６は、端子部３ａを有するスプリング線３を連結している。図の傾動アーム６は、プラス、マイナスの両極のスプリング線３を配置している。この傾動アームは、図示しないが、前述の傾動アームと同様の構造で、スプリング線３を連結することができる。図の傾動アーム６は、一対のスプリング線３の端子部３ａを上方に突出させる一対のガイド穴６Ｅを上面プレートに開口している。
【００４４】
さらに、傾動アームは、傾動アーム６の対向端部６Ｃを弾性的に押し下げる傾動スプリング（図示せず）を連結している。傾動アームは、図示しないが、前述の傾動アームと同様の構造で、傾動スプリングを連結することができる。ただ、傾動スプリングは、傾動体に連結することもできる。
【００４５】
ユニット台５は、図１６ないし図１８に示すように、プラスチックもって、表面プレート１１の周囲に周壁１２を設けた形状に成形している。ユニット台５は、これをケース１の内面に固定して、接点ユニット１０をケース１に固定するための固定部１３を設けている。図のユニット台５は、周壁１２の外側に突出して、その対向する位置に固定部１３を設けている。
【００４６】
表面プレート１１は、傾動体４を内側に配置してその一部を上面に露出させる傾動体開口部１１Ａと、傾動アーム６を内側に配置して傾動アーム６を上面に露出させるアーム開口部１１Ｂとを設けている。傾動体開口部１１Ａは、傾動体４の傾動軸４Ｂよりも突出部４Ａ側を上面に露出させる。図の表面プレート１１は、傾動体開口部１１Ａとアーム開口部１１ＢとをＬ字状に配置している。
【００４７】
ユニット台５は、傾動体４の傾動軸４Ｂを回転できるように連結している。傾動体４は、一方の傾動軸４Ｂを、周壁１２に設けた連結穴２９に回転できるように挿入して、他方の連結軸６Ｂを、表面プレート１１の内面に突出するように設けている連結リブ１４のＵ溝（図示せず）に案内して、ユニット台５に傾動できるように連結している。
【００４８】
さらに、ユニット台５は、傾動アーム６の連結軸６Ｂを回転できるように連結している。傾動アーム６は、一方の連結軸６Ｂを、周壁１２に設けた連結穴２３に回転できるように挿入して、他方の連結軸６Ｂを、表面プレート１１の内面に突出するように設けている連結リブ２０のＵ溝（図示せず）に案内して、ユニット台５に傾動できるように連結している。
【００４９】
以上の接点ユニット１０は、図１９に示すように、装着部２のコーナー付近（図において左下）に配置することができる。この構造は、携帯機器に設けられる電源端子の配置によって受ける制約を解消しながら、傾動体４と傾動アーム６とをケース１内に配置して、端子部３ａを理想的に携帯機器の電源端子に接触できる。さらに、図１７と図１８に示す接点ユニットは、図２０に示す配置で、装着部２のコーナー付近（図において左上）に配置することもできる。このように、この接点ユニット１０は、種々の寸法的な要望に対応して配置することができる。
【図面の簡単な説明】
【００５０】
【図１】従来の充電台の平面図である。
【図２】図１に示す充電台の内部構造を示す平面図である。
【図３】図２に示す傾動体とスプリング線とシーソー片の位置関係を示す斜視図である。
【図４】図１に示す充電台の垂直縦断面図であって、図２のＡ−Ａ線断面に相当する図である。
【図５】図１に示す充電台の垂直横断面図であって、図２のＢ−Ｂ線断面に相当する図である。
【図６】本発明の一実施例にかかる充電台の斜視図である。
【図７】図６に示す充電台の分解斜視図である。
【図８】図７に示す充電台の接点ユニットの斜視図である。
【図９】図８に示す接点ユニットが端子部を上昇させる状態を示す斜視図である。
【図１０】図８に示す接点ユニットの底面斜視図である。
【図１１】図１０に示す接点ユニットの背面斜視図である。
【図１２】図１１に示す接点ユニットの一部拡大分解斜視図である。
【図１３】図７に示す接点ユニットの平面図である。
【図１４】図１に示す充電台に携帯機器をセットする状態を示す断面図である。
【図１５】図１４に示す充電台に携帯機器をセットした状態を示す断面図である。
【図１６】本発明の他の実施例にかかる充電台の分解斜視図である。
【図１７】図１６に示す充電台の接点ユニットの斜視図である。
【図１８】図１７に示す接点ユニットの平面図である。
【図１９】図１６に示す充電台の平面図である。
【図２０】本発明の他の実施例にかかる充電台の平面図である。
【符号の説明】
【００５１】
１…ケース                  １Ａ…上ケース
１Ｂ…下ケース
２…装着部                  ２Ａ…底面
３…スプリング線            ３Ａ…端子片
３ａ…端子部
３ｂ…直線部
３Ｂ…コイル部
３Ｃ…引掛片
４…傾動体                  ４Ａ…突出部
４Ｂ…傾動軸
４Ｃ…連結端
４Ｘ…回転中心軸
４Ｐ…傾動面
５…ユニット台
６…傾動アーム              ６Ａ…上面プレート
６Ｂ…連結軸
６Ｃ…対向端部
６Ｄ…側壁部
６Ｅ…ガイド穴
６Ｆ…引掛部
６Ｇ…押圧係止部
６Ｙ…回転中心軸
６Ｑ…傾動面
７…傾動スプリング          ７Ａ…突出片
７Ａａ…第１の突出片
７Ａｂ…第２の突出片
７Ｂ…コイル部
８…端子窓
９…貫通孔
１０…接点ユニット
１１…表面プレート          １１Ａ…傾動体開口部
１１Ｂ…アーム開口部
１２…周壁
１３…固定部
１４…支持リブ
１５…Ｕ溝
１６…抜け止め突出部
１７…保持リブ              １７Ａ…閉塞プレート
１８…対向リブ
１９…連結リブ
２０…連結リブ
２１…Ｕ溝
２２…抜け止め突出部
２３…連結穴
２４…対向リブ
２５…支持リブ
２６…支持リブ
２７…止ネジ
２８…連結ボス
２９…連結穴
３０…携帯機器
３１…電源端子
９１…ケース
９２…装着部
９３…スプリング線          ９３Ａ…出力端子部
９４…傾動体
９５…端子窓
９６…貫通孔
９７…突出部
９８…シーソー片
９９…携帯機器              ９９Ａ…電源端子
【図１】
2010045883.tif 000003
【図２】
2010045883.tif 000004
【図３】
2010045883.tif 000005
【図４】
2010045883.tif 000006
【図５】
2010045883.tif 000007
【図６】
2010045883.tif 000008
【図７】
2010045883.tif 000009
【図８】
2010045883.tif 000010
【図９】
2010045883.tif 000011
【図１０】
2010045883.tif 000012
【図１１】
2010045883.tif 000013
【図１２】
2010045883.tif 000014
【図１３】
2010045883.tif 000015
【図１４】
2010045883.tif 000016
【図１５】
2010045883.tif 000017
【図１６】
2010045883.tif 000018
【図１７】
2010045883.tif 000019
【図１８】
2010045883.tif 000020
【図１９】
2010045883.tif 000021
【図２０】
2010045883.tif 000022